(57)【要約】【課題】接着テープの使用後に密着した接着テープ剥がしを容易に可能とするために、従来からの本体の形状をほとんど変ず、市販の安価な付箋で非接着部を形成し、非接着部の必要・不必要時の両用も可能な接着テープカッターを提供することを目的とするものである。【解決手段】エラフトマー等の貼付け層４を固着し、その上面に重複した付箋５を貼付けた付箋り付け台３をテープホルダー１の先端に形成する。【選択図】        図２
2004217415.tif 000002
【特許請求の範囲】
【請求項１】
エラフトマー等の貼付け層を固着し、その上面に重複した付箋を貼付けた付箋取り付け台を、テープホルダーの先端側に形成される切断歯の後方に設けてなる、付箋付きテープカッター。
【請求項２】
前記付箋取り付け台において、エラフトマー等の貼付け層を固着し、重複した付箋を貼付けた横向き載置片と略垂直状の取付け片により略Ｌ字状に付箋取り付け台を形成し、テープホルダーの前方側に設けた取り付け溝に取り付けてなる請求項１記載の付箋付きテープカッター。
【請求項３】
前記付箋取り付け台において、横向き載置片のみで形成され、形成された横向き載置片の貼付け層の反対側略中央部に、既存のカッターの取り付け片を差し込む差し込み口を形成してなる請求項１記載の付箋付きテープカッター。
【請求項４】
前記付箋取り付け台をテープホルダーと切断歯とを一体的に形成されてなる請求項１記載の付箋付きテープカッター。
【請求項５】
前記付箋取り付け台の横向き載置片と切断歯とを一体的に形成し、その下部に略垂直状の取り付け片を設けてなる請求項１記載の付箋付きテープカッター。
【発明の詳細な説明】
【０００１】
【発明の属する技術分野】
本発明は、柔軟で弾力性を持ち粘着性のあるエラフトマー等の貼付け層に軽い付着部と非接着部を持ち重なった紙片の付箋を貼付けて、カットした接着テープの接着部一端に付箋を付着させ非接着部を形成し、使用した後の密着した接着テープ剥がしを、容易に可能とした付箋付きテープカッターに関するものである。
【０００２】
【従来の技術】
従来の非接着部を形成する接着テープカッターにおいては、非接着部を作る装置は紙片を挿入する箱状物を設置して紙片を挿入、下部よりバネで押し上げて接着テープに付着させ非接着部を形成、紙片は特別に制作、非接着部の必要ない時は箱状物より紙片を引き出している。（例えば、特許文献１参照。）
【０００３】
【特許文献１】
実開平０５−４０２５５号広報
【０００４】
【発明が解決しようとする課題】
従来の非接着部を形成する接着テープカッターにおいては、非接着部を作る装置は複雑で本体の形状を変える必要があり、非接着部をつくる紙片は特別に制作となり、又非接着部の必要・不必要時の使用しずらく、全てが安価で容易に使用とはいかないという問題点があった。
【０００５】
本発明は、従来の技術の問題点を解決し、容易に安価で非接着部を形成出来る接着テープカッターを提供するものである。
【０００６】
【課題を解決するための手段】
上記目的を達成するために、本発明はエラフトマー等の貼付け層を固着し、その上面に重複した付箋を貼付けた付箋取り付け台を、テープホルダーの前方側に形成される切断歯の後方に設けてなる、付箋付きテープカッター。
【０００７】
さらに、エラフトマー等の貼付け層を介して重複した付箋を貼付けた横向き載置片と略垂直状の取付け片により略Ｌ字状に付箋取り付け台を形成し、テープホルダーの前方側に設けた取り付け溝に取り付けてなることを特徴とするものである。
【０００８】
さらに、前記付箋取り付け台は、横向き載置片のみで形成され、形成された横向き載置片の貼付け層の反対側、略中央部にカッターの取り付け片を差し込む、差し込み口を形成してなることを特徴とするものである。
【０００９】
さらに、前記付箋取り付け台をテープホルダーと切断歯とを一体的に形成されてなることを特徴とするものである。
【００１０】
さらに、前記付箋取り付け台の横向き載置片と切断歯とを一体的に形成し、その下部に略垂直状の取り付け片を設けてなることを特徴とするものである。
本発明は、以上の構成よりなる付箋付きテープカッターに関するものである。
【００１１】
【発明の実施の形態】
発明の実施の形態を実施例にもとづき図面を参照して説明する。
図１に示すように、本発明に係わる従来からのテープホルダー１には巻回して取りつられた接着テープ６とテープホルダー１の先端側に形成された取り付け溝１ａにカッター２を組み込まれてなり、本発明はカッター２の後方部に重複した付箋５を貼付けた付箋取り付け台３を形成することで、接着テープ６内に付箋５を付着させ非接着部を形成可能な、付箋付きテープカッターに関するものである。
【００１２】
本発明は図１△部を拡大した図２に示すように、エラフトマー等の貼付け層４を固着し、重複した付箋５を貼付けた付箋取り付け台３を設けて、図３で示すように、テープホルダー１に巻回し取り付けられた接着テープ６を引出し、一枚の付箋５を付着させ、必要の長さに切断歯２ｅで切断して、図４で示すように、手紙等に貼りつけ使用後の密着した接着テープ６剥がしを容易に可能とする、本発明のメインである付箋取り付け台３のカッター２とテープホルダー１との形成関係からなるものである。
【００１３】
図３における接着テープ６の切断過程図を説明すると、（イ）で接着テープ６をつかみ、（ロ）で示すように付箋５を付着させて必要の寸方まで引出し、（ハ）に示すように切断する。。
【００１４】
付箋取り付け台３上の貼付け層４の上面に貼付けた付箋５の厚みと接着テープ６との位置関係は接着テープ６が付箋５を一枚ずつ付着させ必要な長さでカットして使用可能のために、図３（ハ）に示すごとく接着テープ６が切断歯２ｅに対しあまり鋭角とならないような付箋５の厚みと、切断歯２ｅとの距離をおく。
【００１５】
図４においては、封筒の裏面に接着テープ６を使用し封をした図であり、付箋５の一端側に設けられている非接着部を持ち容易に開封が可能となる。
【００１６】
図５（イ）に示される付箋取り付け台３は、エラフトマー等の貼付け層４を固着し、貼付け層４の接着力でその上面に、重複した付箋５を貼付けた横向き載置片３ａと略垂直状の取り付け片３ｂにより略Ｌ字状に形成され、取り付け片３ｂには図５（ロ）に示すスプリング性を持つ球形状凸部２ｃと合致する球形状凹穴３ｃとカッター２のビス止め用切り込み２ｄと合致するビス止め用切り込み３ｄを設けて形成される。
【００１７】
エラストマー等の貼付け層４はローラー式掃除具等に使用され、ゴミ等を貼付ける接着性と、接着したゴミ等を洗浄すれば落ちる復元性と、スプリング力のある弾力性を有する素材であり、接着力で付箋５を貼付け、スプリング力のある弾力性で付箋５の接着テープ６への付着を容易にする。
【００１８】
付箋５は一端側に軽い付着性を持つ部分を有する紙片であり、重複して一体をなし、安価で市販されているので手軽に使用可能である。
【００１９】
図５（ロ）に示されるカッター２は、先端に略垂直状の切断歯２ｅを設けた横向き片２ａと他端側の下部に略垂直状の取り付け片２ｂを設けて略Ｌ字状に形成し、取り付け片２ｂには付箋取り付け台３の取り付け片３ｂと重ね合わせて、テープホルダー１の取り付け溝１ａ内に差し込み取り付けるスプリング性を持つ球形状凸部２ｃとビス止め用切り込み２ｄを設けてなり、従来からの接着テープカッター内に形成されているものである。
【００２０】
図６（イ）においては、カッター２の取り付け片２ｂの球形状凸部２ｃと付箋取り付け台３の取り付け片３ｂの球形状凹穴３ｃを合致し重ね合わせて、テープホルダー１の先端側に設けられた既存の取り付け溝１ａ内に差し込み取り付けてなる付箋付きテープカッター。
【００２１】
図６（ロ）においては、カッター２の取り付け片２ｂと付箋取り付け台３の取り付け片３ｂを重ね合わせて、ビス止め用切み部２ｄ、３ｄを合致させて、止めビス７をもってテープホルダー１の先端側に止めて取り付けてなる付箋付きテープカッター。
【００２２】
図７（イ）に示す付箋取り付け台１３は他の実施例を示すもので、横向き載置片１３ａのみで形成され、略中間部にカッター２の取り付け片２ｂの差し込み口１３ｆを有し、前後の横向き載置片１３ａを接続片１３ｇで接続して形成されてなる。
【００２３】
図７（ロ）は横向き載置片１３ａのみでなる付箋取り付け台１３のテープホルダー１への取り付け図であり、カッター２の取り付け片２ｂを差し込み口１３ｆより取り付け溝１ａへ差し込み、カッター２の横向き片２ａの下部で付箋取り付け台１３の横向き載置片１３ｇを上方部より抑えつけ、カッター２の取り付け片２ｂの球形状凸部２ｃのスプリング性をもって取り付け溝１ａ内で固定される。
【００２４】
以上、図６・図７で説明してきた付箋付きテープカッターにおいては、従来からの既成のテープホルダー１と既成のカッター２に本発明の付箋取り付け台３、１３を設けて形成される付箋付きテープカッターである。
【００２５】
図８においては、さらに他の実施例を２点示すもので（Ａ）は付箋取り付け台２３と切断歯２２ｅとテープホルダー２１とを同素材にて一体に形成された付箋付きテープカッターである。
【００２６】
図８（Ｂ）においては、付箋５を貼付けた付箋取り付け台３３の横向き載置片３３ａの先端に切断歯３２ｅを設け、略中間部に略垂直状の取り付け片３３ｂを略Ｔ字状に設け、前記３部分を同素材で一体化しテープホルダー１前方部に設けられた取り付け溝１ａに差し込み取り付けて形成してなる付箋付きテープカッター。
【００２７】
【発明の効果】
本発明は、上記に説明したように構成されているので、以下に記載されるような効果を奏する。
【００２８】
図６（イ）（ロ）図７・図８（Ｂ）においては付箋取り付け台をカッターと組み込みテープホルダー１先端部に取り付けるのみなので、従来からの接着テープカッターの形状を変える必要がなく、安価で簡単に接着テープに非接着部を形成することが出来る。
【００２９】
図８（Ｂ）においては、テープホルダーの形状は多少変わっても付箋取り付け台部のみなので、単純な変形で付箋付きテープカッターを形成することが可能である。
【００３０】
非接着部を必要としない時は、付箋取り付け台より付箋を剥がし、再度非接着部の必要な時は、適度の厚さの付箋を貼付け層に貼付けると非接着部形成可能となり、両用の使用が容易に簡単に出来る。
【００３１】
非接着部を形成する付箋は安価でサイズも多種類市販されており、非接着材を使用のための紙片を別途制作する必要はなく、社名、店名、お礼等各種の文字等の記入も可能であり、剥がし辛かった接着テープが剥がしやすくなり、使用感を高めることが出来る。
【図面の簡単な説明】
【図１】接着テープカッターの斜視図である。
【図２】接着テープカッター△部の拡大斜視図である。
【図３】接着テープ切断過程断面図である。
【図４】接着テープ剥離時の平面図である。
【図５】付箋取り付け台、カッターの斜視図であり、（イ）は付箋取り付け台で（ロ）はカッターである。
【図６】付箋取り付け台、カッターをテープホルダーへの取り付け時の説明図であり、
（イ）は取り付け溝に付箋取り付け台とカッターとを差し込み時断面図であり、
（ロ）はビスによる付箋取り付け台とカッターとを取り付け時の斜視図である。
【図７】付箋取り付け台の他の実施例を示す説明図であり、（イ）は他の実施例の付箋取り付け台の斜視図であり、（ロ）は取り付け時の断面図である。
【図８】一体に形成された、さらに他の実施例を示す付箋取り付け台の説明図であり、
（Ａ）はテープホルダーと付箋取り付け台と切断歯とを一体に形成した断面図、
（Ｂ）は付箋取り付け台と切断歯とを一体形に形成された付箋付きテープカッターの断面図である。
【符号の説明】
１、２１    テープホルダー
１ａ    取り付け溝
２    カッター
２ａ    カッターの横向き片
２ｂ    カッターの取り付け片
２ｃ    球形状凸部
２ｄ    カッターのビス止め用切り込み
２ｅ、２２ｅ、３２ｅ    切断歯
３、１３、２３、３３    付箋取り付け台
３ａ、１３ａ、３３ａ    付箋取り付け台の横向き載置片
３ｂ，３３ｂ    付箋取り付け台の取り付け片
３ｃ    球形状凹穴
３ｄ    付箋取り付け台のビス止め用切り込み
１３ｆ    差し込み口
１３ｇ    接続片
４    貼付け層
５    付箋
６    接着テープ
７    止めビス
８    封筒
【図１】
2004217415.tif 000003
【図２】
2004217415.tif 000004
【図３】
2004217415.tif 000005
【図４】
2004217415.tif 000006
【図５】
2004217415.tif 000007
【図６】
2004217415.tif 000008
【図７】
2004217415.tif 000009
【図８】
2004217415.tif 000010